(57)【要約】      （修正有）【課題】  順次構築された上階にクレーン本体を逆クライミングを行いマストを引き上げを行うフロアークライミング時に敷地外へのジブの飛び出しを少なくするクライミングクレーンを提供する。【解決手段】  旋回体１０に液圧シリンダー８で起伏するボトムジブ３を設け、ガントリーアーム６の頂部とレストアーム４の頂部をレストワイヤー５で繋ぎペンダントロープ７とレストワイヤーでジブ１の先端を支え、フロアークライミング時はボトムジブを最大角度まで起し、レストウインチ９とレストワイヤーを用いてジブを水平近くまで伏せ、旋回体を持ち上げる昇降フレーム１２のシリンダー１４で降下し、構築された躯体の上部に仮受し、ベース架台と躯体との締結を解きマスト１１を引き上げる際ジブの根元部に設けた開口２をマストが通過し、ベース架台を構築された上階にせり上げ、躯体と締結しフロアークライミングを行うクライミングクレーン。【選択図】図１
2006225158.tif 000002
【特許請求の範囲】
【請求項１】
高層建築物を順次構築し、それに伴いせり上げを行うクライミングクレーンであって、クレーンの旋回体に液圧シリンダーで起伏するボトムジブを設けボトムジブに支持するジブの根元部に開口を設け、ジブを支えるペンダントロープとレストアームを繋ぎレストアームとガントリーアームの頂部をレストワイヤーで繋ぎ、フロアークライミング時にボトムジブを最大角度まで起こし、レストウインチでジブを伏せ、せり上がるマストがジブの開口を通過し、伏せたジブの半径が少ないのを特徴とする、クライミングクレーン。
【発明の詳細な説明】
【技術分野】
【０００１】  この発明は、構造物を建設するクレーンで順次構造物が構築されて高くなり、それに伴いクレーンもせり上げを行い設置位置が順次高くなるクライミングクレーンに関する物である。
【背景技術】
【０００２】  従来のクライミングクレーンは図４、５のように、フロアークライミング時は根元からジブ先端までが一体となり伏せているので最大作業半径まで伏せた時、隣地又は道路、歩道等の敷地外にクレーンのジブが飛び出していた。
【特許文献１】  特許登録  第２５２９０６７号
【発明の開示】
【発明が解決しようとする課題】
【０００３】  ビル建設において、順次構築された上階にクレーン本体を逆クライミングで仮受し、マストの引き上げを行うフロアークライミング時に敷地外へのジブの飛び出しを無くし、周囲に影響を与えない、クライミングクレーンが望まれる。
【課題を解決するための手段】
【０００４】  この発明は、図１、２に示すように高層建築物を順次構築し、それに伴いせり上げを行うクライミングクレーンであって、クレーンのマスト１１に支えられた旋回体１０に液圧シリンダー８で起伏するボトムジブ３を設け、ジブ１の先端とレストアーム４をペンダントロープ７で支え、ガントリーアーム６の頂部とレストアーム４の頂部をレストワイヤー５で繋ぎレストウインチ９でジブ１を起伏するもので、フロアークライミング時はボトムジブ３を最大角度まで起こし、レストウインチ９を用いてジブ１を水平近くまで伏せ、旋回体１０を昇降フレーム１２のシリンダー１４で降下し、構築された躯体の上部に仮受し、ベース架台２９と躯体との締結を解きマスト１１を引き上げる際、ジブ１の根元部に設けた開口２をマスト１１が通過し、ベース架台２９を上階にせり上げ締結しフロアークライミングを行うものでボトムジブ３の長さだけ、伏せたジブ１の先端の飛び出しを少なくしたクライミングクレーンで、通常のクレーン作業時はガントリーアーム６とレストアーム４の頂部をリンク３４で連結しジブ１とボトムジブ３が一体で動き、レスト時、上架解体時、フロアークライミング時はリンク３４の連結を解きレストウインチ９でジブ１を起伏する、クライミングクレーン。
【発明の効果】
【０００５】  この発明のクライミングクレーンの利点は、フロアークライミング時、敷地外へのジブの飛び出しを無くし、周囲の歩道、道路に影響を与えず安全である。【０００６】    ジブの上架、解体作業時においてもジブの飛び出しを無くし、敷地内だけでジブの上架、解体作業が出来、周囲に不安感を与えず安全である。
【発明を実施するための最良の形態】
【０００７】  本発明は、図１、２に示すようにクライミングクレーンの旋回体１に液圧シリンダー８で起伏するボトムジブ３を設け、ガントリーアーム６とレストアーム４の頂部にレストワイヤー５を通し、レストアーム４とジブ１の先端をペンダントロープ７で支えジブ１が起伏するもので、フロアークライミング時ボトムジブ３を最大角度まで起こし、レストウインチ９とレストワイヤー５でジブ１を水平近くまで伏せ、旋回体１０を昇降フレーム１２に取り付けた昇降シリンダー１４と下部フレーム１３で降下させ躯体の上部に仮受し、ジブ１の根元部に設けた開口２をマスト１１が通過しフロアークライミングを行うもので、ボトムジブ３の長さだけ伏せたジブ１の先端の飛び出しを少なくし、通常のクレーン作業時はガントリーアーム６とレストアーム４の頂部をリンク３４で連結しジブ１とボトムジブ３が一体で動き、レスト時とフロアークライミング時はリンク３４の連結を解きレストウインチ９でジブ１を起伏する、クライミングクレーン。
【実施例１】
【０００８】  図１、２に示すようにクライミングクレーンの旋回体１に液圧シリンダー８で起伏するボトムジブ３に設け、バックステー３１で支えるガントリーアーム６の頂部とレストアーム４の頂部にレストワイヤー５を通し、レストアーム４とジブ１の先端をペンダントロープ７で支え、フロアークライミング時にボトムジブ３を最大角度まで起こし、レストウインチ９とレストワイヤー５でジブ１を水平近くまで伏せ、旋回体１０を昇降フレーム１２の昇降シリンダー１４で降下させ躯体の上部に仮受し、ジブ１の根元部に設けた開口２をマスト１１が通過しフロアークライミングを行うもので、ボトムジブ３の長さだけ伏せたジブ１の先端の飛び出しを少なくし、通常のクレーン作業時はガントリーアーム６とレストアーム４の頂部をリンク３４で連結しジブ１とボトムジブ３が一体で動き、レスト時とフロアークライミング時は連結を解きレストウインチ９でジブ１を起伏する、クライミングクレーン。
【実施例２】
【０００９】  図３に示すようにクライミングクレーンの旋回体１に液圧シリンダー８で起伏するボトムジブ３に設けたバックステー３１で支えるガントリーアーム６の頂部とレストアーム４の頂部にレストワイヤー５を通し、レストアーム４とジブ１の先端とをペンダントロープ７で支え、フロアークライミング時にボトムジブ３を最大作業半径まで伏せ、レストウインチ９でジブ１を起こした状態で、旋回１０体を昇降フレーム１２で降下させ躯体の上部に仮受し、ボトムジブ３に設けた開口をマスト１１が通過する方法とボトムジブ３を起しジブ１を伏せてジブ１の開口２を使う２通りのクライミングが出来るもので、通常のクレーン作業時はガントリーアーム６とレストアーム４の頂部をリンク３４で連結しジブ１とボトムジブ３が一体で動き、リンク３４の連結を解きレストウインチ９でジブ１を起伏する、クライミングクレーン。
【産業上の利用可能性】
【００１０】  このクライミングクレーンは繁華街、都心部において周囲をビルで囲まれたり又は道路等公共施設で制限を受ける建築工事においてフロアークライミングを行う時、又ジブの上架、解体等の危険な作業時にジブの飛び出しを少なくし、周囲に影響を与えず、敷地内で安全な作業が出来るクライミングクレーン。
【図面の簡単な説明】
【００１１】
【図１】この発明を示す立面の一部カット図である。
【図２】実施例１を示す平面図である。
【図３】実施例２を示す立面の一部カット図である。
【図４】従来の技術を示す立面図である
【図５】従来の技術を示す平面図である。
【付号の説明】
【００１２】１・・・ジブ                        ２０・・一体ジブ
２・・・開口                        ２１・・敷地仮囲い
３・・・ボトムジブ                  ２２・・荷捌きヤード
４・・・レストアーム                ２３・・最大荷重範囲
５・・・レストワイヤー              ２４・・最大重量鉄骨
６・・・ガントリーアーム            ２５・・公共歩道
７・・・ペンダントロープ            ２６・・公共車道
８・・・シリンダー                  ２７・・搬出入車
９・・・レストウインチ              ２８・・飛び出し距離
１０・・旋回体                      ２９・・ベース架台
１１・・マスト                      ３０・・巻上ワイヤー
１２・・昇降フレーム                ３１・・バックステー
１３・・下部フレーム                ３３・・最大作業半径
１４・・昇降シリンダー              ３４・・リンク
３５・・仮受階
３６・・設置階
【図１】
2006225158.tif 000003
【図２】
2006225158.tif 000004
【図３】
2006225158.tif 000005
【図４】
2006225158.tif 000006
【手続補正書】
【提出日】平成17年4月8日(2005.4.8)
【手続補正１】
【補正対象書類名】図面
【補正対象項目名】全図
【補正方法】変更
【補正の内容】
【図１】
2006225158.tif 000007
【図２】
2006225158.tif 000008
【図３】
2006225158.tif 000009
【図４】
2006225158.tif 000010
【図５】
2006225158.tif 000011